(57)【特許請求の範囲】
【請求項１】
厚さ方向の一方の面である表面を光入射面とし前記表面と反対の面を裏面とする一定厚さの透明または半透明な板状の基材と、
前記基材の前記表面及び前記裏面の一方に形成された装飾模様と、
前記装飾模様の表面及び前記装飾模様を除いた前記表面または前記裏面の少なくとも前記装飾模様の表面に均一な厚さに形成され前記装飾模様を着色する着色用の光学装飾膜とを備え、
前記装飾模様は、前記基材の前記表面側から入射される入射光を前記表面側へ反射することで当該反射する光の輝度に不規則に変化する明暗を生じさせて前記装飾模様に光の明暗が付けられるようにカオス理論の式であるロジスティック関数により決定されている不規則な三次元形状の反射面で構成され、
前記装飾模様が前記基材の前記裏面に形成され、かつ該裏面に形成された前記装飾模様の前記反射面に前記光学装飾膜が形成されている場合の該光学装飾膜は、前記反射面と前記光学装飾膜との界面を透過して前記光学装飾膜に達した入射光が前記光学装飾膜での光の干渉により決定される特定の色の光を前記表面側に向け反射することで前記装飾模様を前記光の明暗に合わせて着色表示するように構成され、
前記装飾模様が前記基材の前記表面に形成され、かつ該表面に形成された前記装飾模様の前記反射面に前記光学装飾膜が形成されている場合の該光学装飾膜は、前記光学装飾膜に入射される入射光が前記光学装飾膜での光の干渉により決定される特定の色の光を前記表面側に向け反射することで前記装飾模様を前記光の明暗に合わせて着色表示するように構成され、
さらに前記基材は有色透明な材質で成形されている、
ことを特徴とする装飾用パネル。
【請求項２】
前記光学装飾膜は、低屈折の薄膜層と高屈折の薄膜層を交互に複数積層することで構成され、前記積層される薄膜層の屈折率と膜厚を変えることで特定の色の光を反射し、それ以外の色の光を透過するようにしたことを特徴とする請求項１記載の装飾用パネル。
【請求項３】
前記基材の光入射側である前記表面に、加飾用の模様パターンを有する半透明もしくは透明な加飾層が形成されていることを特徴とする請求項１記載の装飾用パネル。
【請求項４】
前記基材は、カオス理論により作成可能となった不規則な表面形状の三次元数値データに基づき、最小５ｎｍの表面粗さの加工が可能な超微細加工機を利用し、不規則な表面形状でありながら表面粗さが５ｎｍという鏡面レベルの三次元加工を施した金型により作成した樹脂成形品であることを特徴とする請求項１記載の装飾用パネル。
【発明の詳細な説明】
【技術分野】
【０００１】
本発明は、車両用インストルメントパネルの装飾または家具の扉表面や引き出し用鏡板の装飾、携帯電話機本体の表面の装飾、電化製品の表面の装飾などに使用される装飾用パネルに関し、さらに詳しくは、光透過性基材に形成された装飾用の模様パターンを可視領域の色光を利用して任意の色で輝光表示できるようにした装飾用パネルに関するものである。
【背景技術】
【０００２】
従来の装飾用パネル、例えば自動車用装飾パネルとして、乗用車の後部端のリアコンビネーションランプ間に装着されるガーニッシュが知られている（特許文献１参照）。
【０００３】
この種の装飾パネルは、アクリル等の透明な合成樹脂材からなるカバーと、このカバーを自動車の車体に取り付けるための取付基材とを備え、カバーの外表面は平滑な面に加工されているとともに取付基材と相対向する内表面には細かい凹凸模様（シボ）が形成されている。また、カバーの内表面と相対向する取付基材の表面には平面的に連続した凹球状の魚眼を形成し、さらに、この凹球状の魚眼にシルバーメタリック塗料を塗布してメタリック塗膜面を形成する。
【０００４】
このような装飾パネルにおいては、カバーを透過した光はカバー内表面の細かい凹凸模様（シボ）により複雑に散乱され、この散乱光が取付基材のメタリック塗膜面に入射されると、凹球状の魚眼形状からくる凹面鏡の作用によって、その入射光の反射の乱れが集約された反射光となり、これにより、フレネルレンズの効果を出して、奥行きの深さを表現できる装飾パネルを提供できるようにしている。
【特許文献１】特開平４−７８６３２号公報
【発明の開示】
【発明が解決しようとする課題】
【０００５】
しかし、このような従来の装飾パネルは、細かい凹凸模様を有するカバーと、このカバーと対向する表面に形成した凹球状の魚眼にシルバーメタリック塗料を塗布してなるメタリック塗膜面を有する取付基材とから構成されるものであるため、乗用車のガーニッシュなどには好適であるものの、車両用インストルメントパネルの装飾または家具の扉表面や引き出し用鏡板の装飾、携帯電話機本体の表面の装飾などに用いられる装飾パネルには不向きである。なぜならば、装飾パネルはカバーと取付基材とを空間を介して対向配置される構造であるため、装飾パネル自体が厚くなって薄型化できないほか、装飾パネルの構成部品点数が多くなり、コスト高になるという問題がある。
【０００６】
また、従来の装飾パネルを構成する取付基材のメタリック塗膜面は凹球状の凹面鏡からなり、この凹面鏡でカバーの凹凸模様で散乱されて入射される光を集約された反射光、すなわち凹面鏡の大きさに応じた径のスポット光として反射するものであるため、このスポット状反射光の輝度はほとんど均一であるとともに、装飾パネルに対し視点を変えてもスポット光の輝度は変化しない。その結果、インストルメントパネルやドアートリムなどの自動車内装部品の装飾や電化製品などの装飾には変化が乏しく、かつ見栄えが低いという問題があった。
【０００７】
本発明は上記のような従来の問題を解決するためになされたもので、光透過性基材に形成された装飾模様を可視領域の光を利用して任意の色で輝光表示できるとともに、変化に富んだ見栄えの良い光学的装飾を可能にし、併せて見る者の視覚に作用して、癒し、くつろぎ、または安らぎを与える光学的装飾効果を発揮できる装飾用パネルを提供することを目的とする。
【課題を解決するための手段】
【０００８】
上記の目的を達成するため、請求項１の発明は、装飾用パネルであって、厚さ方向の一方の面である表面を光入射面とし前記表面と反対の面を裏面とする一定厚さの透明または半透明な板状の基材と、前記基材の前記表面及び前記裏面の一方に形成された装飾模様と、前記装飾模様の表面及び前記装飾模様を除いた前記表面または前記裏面の少なくとも前記装飾模様の表面に均一な厚さに形成され前記装飾模様を着色する着色用の光学装飾膜とを備え、前記装飾模様は、前記基材の前記表面側から入射される入射光を前記表面側へ反射することで当該反射する光の輝度に不規則に変化する明暗を生じさせて前記装飾模様に光の明暗が付けられるようにカオス理論の式であるロジスティック関数により決定されている不規則な三次元形状の反射面で構成され、前記装飾模様が前記基材の前記裏面に形成され、かつ該裏面に形成された前記装飾模様の前記反射面に前記光学装飾膜が形成されている場合の該光学装飾膜は、前記反射面と前記光学装飾膜との界面を透過して前記光学装飾膜に達した入射光が前記光学装飾膜での光の干渉により決定される特定の色の光を前記表面側に向け反射することで前記装飾模様を前記光の明暗に合わせて着色表示するように構成され、前記装飾模様が前記基材の前記表面に形成され、かつ該表面に形成された前記装飾模様の前記反射面に前記光学装飾膜が形成されている場合の該光学装飾膜は、前記光学装飾膜に入射される入射光が前記光学装飾膜での光の干渉により決定される特定の色の光を前記表面側に向け反射することで前記装飾模様を前記光の明暗に合わせて着色表示するように構成され、さらに前記基材は有色透明な材質で成形されていることを特徴とする。
【０００９】
請求項２の発明は、請求項１記載の装飾用パネルにおいて、前記光学装飾膜は、低屈折の薄膜層と高屈折の薄膜層を交互に複数積層することで構成され、前記積層される薄膜層の屈折率と膜厚を変えることで特定の色の光を反射し、それ以外の色の光を透過するようにしたことを特徴とする。
【００１０】
請求項３の発明は、請求項１記載の装飾用パネルにおいて、前記基材の光入射側である前記表面に、加飾用の模様パターンを有する半透明もしくは透明な加飾層が形成されていることを特徴とする。
【００１１】
請求項４の発明は、請求項１記載の装飾用パネルにおいて、前記基材は、カオス理論により作成可能となった不規則な表面形状の三次元数値データに基づき、最小５ｎｍの表面粗さの加工が可能な超微細加工機を利用し、不規則な表面形状でありながら表面粗さが５ｎｍという鏡面レベルの三次元加工を施した金型により作成した樹脂成形品であることを特徴とする。
【発明の効果】
【００１２】
本発明の装飾用パネルによれば、基材の表面及び裏面の一方に形成された装飾模様を、基材の表面側から入射される入射光を表面側へ反射することで当該反射する光の輝度に不規則に変化する明暗を生じさせて装飾模様に光の明暗が付けられるようにカオス理論の式であるロジスティック関数により決定されている不規則な三次元形状の反射面で構成し、そして、装飾模様が基材の裏面に形成され、かつ該裏面に形成された装飾模様の反射面に光学装飾膜が形成されている場合の光学装飾膜を、反射面と光学装飾膜との界面を透過して光学装飾膜に達した入射光が光学装飾膜での光の干渉により決定される特定の色の光を表面側に向け反射することで上記光の明暗に合わせて濃淡色にカラー表示するようにし、また、装飾模様が基材の表面に形成され、かつ該表面に形成された装飾模様の反射面に光学装飾膜が形成されている場合の該光学装飾膜を、光学装飾膜に入射される入射光が光学装飾膜での光の干渉により決定される特定の色の光を表面側に向け反射することで上記光の明暗に合わせて濃淡色にカラー表示するようにしたので、基材に形成された装飾模様を可視領域の光を利用して任意の色で輝光表示させることができるとともに、装飾模様にゆらぎによる変化に富んだ見栄えの良い光学的装飾を可能にし、併せて見る者の視覚に作用して、癒し、くつろぎ、または安らぎを与える光学的装飾効果を発揮できる。
【００１３】
また、本発明の装飾用パネルによれば、基材を有色透明な材質で成形することにより、装飾用パネルの見栄えを色彩の面から強調することができる。
【００１４】
また、本発明の装飾用パネルによれば、カオス理論に基づいて作成した形状データを基に製作した装飾模様複製用の金型を用いて合成樹脂材からなる装飾模様付き基材を形成したので、装飾模様付きの基材を量産することができる。
【００１５】
また、本発明の装飾用パネルによれば、基材の光入射側表面に、模様パターンを有する加飾層を形成したので、加飾層の模様パターンに三次元形状の反射面で生成された反射光による不規則に変化する光の明暗を付加できる。これにより、装飾模様に立体感付与し、より見栄えの良い装飾用パネルを提供できる。
【発明を実施するための最良の形態】
【００１６】
次に、本発明にかかる装飾用パネルの実施の形態について図面を参照して説明する。
（実施の形態１）
図１は本発明にかかる実施の形態１の装飾用パネルを模式的に示す平面図、図２は図１の２−２線に沿う拡大断面図、図３は本発明にかかる実施の形態１の装飾用パネルにおける反射面を光が入射される面と反対の面から見た斜視図、図４は図３の４−４線に沿う拡大断面図、図５は本実施の形態１における装飾模様の表面形状の一例を示す波形図、図６は本実施の形態１における装飾用パネルの三次元形状の反射面に対して入射する光の反射及び透過状態を模式的に示す断面図である。
【００１７】
本実施の形態１に示す装飾用パネル１０は、図１及び図２に示すように、アクリルやポリカーボネートなどの透明または半透明な合成樹脂材またはガラス等の透明材または半透明材からなる一定厚さの板状の基材１１を備える。この基材１１の光入射側の面（表面）１１ａと反対の面である裏面１１ｂには、不規則な三次元形状の反射面１２１からなる装飾模様１２が形成されている。
上記装飾模様１２を構成する三次元形状の反射面１２１は、図３に示すように、ストライブ状に並列された凹凸状を呈している。
なお、装飾用パネル１０の照明光１５には、各種照明灯の光または太陽光等の自然光などが用いられる。
【００１８】
次に、反射面１２１で生成される反射光の輝度に不規則に変化する明暗を生じさせる場合の具体例について図４〜図６を参照して説明する。
【００１９】
反射面１２１はカオス理論の関数に基づいて形成された不規則な三次元形状を呈している。
【００２０】
カオス理論の関数は数多く存在するが、本実施例の反射面の三次元形状は（１）式に示すロジスティック関数により決定されている。
【００２１】
（数１）
Xn+1=aXn(1―Xn)・・・・・（１）
ただし  0≦a≦4,  0≦X0≦1
ロジスティック関数は、生物の個体数が世代を経てどのように移動するかを示すモデルである。ここで、ａ：は繁殖率を表し、Ｘｎ：はｎ世代目の個体数を表し、Ｘｎ＋１：ｎ＋１世代目の個体数を表す。ここで、繁殖率ａを定数とし、世代ｎを横軸に、固体数Ｘｎを縦軸に取り、ａに任意の数字を投入すると、例えば図５に示すような波形の曲線が得られる。図５の波形を縦方向又は横方向に伸縮させることで、加工可能な波形に修正すると、不規則な三次元形状の反射面１２１からなる装飾模様１２の表面形状を得られる。
【００２２】
このような本実施の形態１に示す装飾用パネル１０において、図６に示すように、基材１１の光入射側の面（表面）１１ａが照明光１５により照射されると、この照明光１５は図６に示すように入射光１５ａとなって基材１１内を進行し反射面１２１に達する。そして、反射面１２１に達した入射光１５ａの一部は、ロジスティック関数に基づいて決定された反射面１２１の形状に応じて矢印１５ｂのように基材１１の表面１１ａ側へ反射される。これに伴い、基材１１の表面１１ａから出射される反射光１５ｂの輝度に光の明暗パターンを生じさせる。
【００２３】
上記のような本実施の形態１に示す装飾用パネル１０によれば、基材１１の光入射側である表面１１ａと反対の面である裏面１１ｂに設けられた装飾模様をカオス理論の式に基づいて構成された不規則な三次元形状の反射面で形成し、基材に入射される光を全体的に反射するかあるいは入射光の一部を反射して残りを透過するとともに、反射する光の輝度に不規則に変化する明暗を生じさせて装飾模様１２に光の明暗を付けるようにしたので、反射面１２１で反射される光の輝度に明暗を生じさせて装飾模様１２に光の明暗を付けるように構成したので、基材１１に形成された装飾模様１２に光のゆらぎによる変化に富んだ見栄えの良い光学的装飾を可能にし、併せて装飾用パネル１０を見る者の視覚に作用して、癒し、くつろぎ、または安らぎを与える光学的装飾効果を発揮させることができる。（実施の形態２）
次に、本発明にかかる装飾用パネルの実施の形態２について図７〜図１１を参照して説明する。
【００２４】
図７は本発明にかかる実施の形態２の装飾用パネルを模式的に示す平面図、図８は図７の８−８線に沿う拡大断面図、図９は本実施の形態２における装飾用パネルの光学装飾膜を取り除いて反射面を基材の裏面側から見た時の例を示す斜視図、図１０は図９の１０−１０線に沿う拡大断面図、図１１は実施の形態２における装飾用パネルの三次元形状の反射面に対して入射する光の反射及び透過状態を模式的に示す断面図である。
【００２５】
この実施の形態２に示す装飾用パネル２０は、図７及び図８に示すように、アクリルやポリカーボネートなどの透明または半透明な合成樹脂材またはガラス等の透明材または半透明材からなる一定厚さの板状の基材２１を備える。この基材２１の光入射側の面（表面）２１ａと反対の面である裏面２１ｂには、不規則な三次元形状の反射面２２１からなる装飾模様２２が形成されている。また、この装飾模様２２の表面を含む基材２１の裏面２１ｂには、図１０及び図１１に示すように、装飾模様２２を含む装飾用パネル２０全体を着色表示する光学装飾膜２３が形成されている。
【００２６】
なお、装飾用パネル２０の照明光１５には、各種照明灯の光または太陽光等の自然光などが用いられる。
【００２７】
光学装飾膜２３は、不規則な三次元形状の反射面２２１と光学装飾膜２３との界面を透過して光学装飾膜２３に入射する入射光のうち、光学装飾膜２３で決定された特定の色の光を反射面２２１に向け反射することにより、装飾模様２２を光の明暗に合わせて着色表示するように構成されている。
【００２８】
前記光学装飾膜２３は、図１０及び図１１に示すように、低屈折の薄膜層と高屈折の薄膜層を交互に複数、例えば５〜１０層積層することで構成される。
【００２９】
このような光学装飾膜２３は、積層される薄膜層の屈折率と膜厚を変えることで特定の色の光を反射し、それ以外の色の光を透過するようになっている。
【００３０】
次に、反射面２２１で生成される反射光の輝度に不規則に変化する明暗を生じさせる場合の具体例について、図１１を参照して説明する。
【００３１】
反射面２２１は、カオス理論の関数に基づいて形成された不規則な三次元形状により構成されている。カオス理論の関数は数多く存在するが、本実施例の反射面の三次元形状は上記（１）式に示すロジスティック関数により決定されている。
【００３２】
このような第２の実施の形態に示す装飾用パネル２０において、図１１に示すように、基材２１の光入射側の面（表面）２１ａが照明光１５により照射されると、この照明光１５は、上記実施の形態１に示す場合と同様に入射光１５ａとなって基材２１内を進行し反射面２２１に達する。そして、反射面２２１に達した入射光１５ａの一部はロジスティック関数により決定された反射面２２１の形状に応じて矢印１５ｂのように基材２１の表面２１ａ側へ反射される。これに伴い、基材２１の表面２１ａから出射される反射光１５ｂの輝度に光の明暗パターンを生じさせる。
【００３３】
また、反射面２２１と光学装飾膜２３との界面を透過して光学装飾膜２３に入射する入射光１５ｃのうち、光学装飾膜２３の屈折率と膜厚で決定される特定の色の光、例えば青色の波長に相当する光１５ｄが光学装飾膜２３で分離され反射面２２１に向け反射される。これにより、反射面２２１に応じて不規則に変化する光の明暗と光学装飾膜２２で分離された光色とが合成された濃淡色に装飾模様２２が着色される。
【００３４】
したがって、本実施の形態２に示す装飾用パネル２０によれば、基材２１の光入射側である表面２１ａと反対の面である裏面２１ｂに反射面２２１を基材２１の裏面２１ｂに設けることで装飾模様２２を構成することにより、反射面２２１で反射される光の輝度に明暗を生じさせて装飾模様２２に光の明暗を付け、さらに、反射面２２１と光学装飾膜との界面を透過して光学装飾膜２３に入射する入射光のうち、光学装飾膜２３の屈折率と膜厚で決定される特定の色の光を光学装飾膜２３で分離して反射面２２１に向け反射させることにより、装飾模様２２を上記光の明暗に合わせた濃淡色に着色するように構成したので、基材２１に形成された装飾模様２２を可視領域の光を利用して任意の色で輝光表示させることができるとともに、装飾模様２２に光のゆらぎによる変化に富んだ見栄えの良い光学的装飾を可能にし、併せて装飾用パネル２０を見る者の視覚に作用して、癒し、くつろぎ、または安らぎを与える光学的装飾効果を発揮させることができる。
（実施の形態３）
次に、本発明にかかる装飾用パネルの実施の形態３について図１２を参照して説明する。
【００３５】
図１２は本発明の実施の形態３における装飾用パネルの要部の拡大断面図である。
【００３６】
この実施の形態３は、上記実施の形態２における装飾用パネル２０の装飾模様２２を構成する反射面２２１の変形例を示すもので、この反射面２２１は、図８及び図９に示す場合と同様に、上記（１）式に示すロジスティック関数によって決定される不規則な三次元形状によって構成されている。この反射面２２ａには光学装飾膜２３が形成され、さらに、基材２１の光入射側である表面２１ａには、木目や花柄または幾何学模様などの加飾用の模様パターンを有する半透明もしくは透明な加飾層１８が形成されている。
【００３７】
このような第３の実施の形態における装飾用パネルによれば、基材２１の光入射側表面２１ａに、模様パターンを有する加飾層１４を形成したので、加飾層１４の模様パターンに反射面２２１で生成された反射光による不規則に変化する光の明暗を付加され、これにより、装飾模様２２に立体感を付与し、より見栄えの装飾用パネルを提供できる。
（実施の形態４）
次に、本発明にかかる装飾用パネルの実施の形態４について、図１３を参照して説明する。
【００３８】
図１３は本発明の実施の形態４における装飾用パネルの反射面及び光学装飾膜の光に対する作用を模式的に示す断面図である。
【００３９】
この実施の形態４に示す装飾用パネル３０は、図１３に示すように、アクリルやポリカーボネートなどの透明な合成樹脂材またはガラス等の透明材または半透明材または不透明材からなる一定厚さの板状の基材３１を備える。この基材３１の光入射側である一方の面３１ａには、装飾模様３２が形成されており、装飾模様３２は、上記数１のロジスティック関数に基づく三次元形状の反射面３２１によって構成されている。また、この装飾模様３２の一方の面３１ａには、装飾模様３２を含む装飾用パネル３０全体を着色表示する光学装飾膜３３が形成されている。
【００４０】
なお、装飾用パネル３０の照明光１５には、各種照明灯の光または太陽光などの自然光などが用いられる。
【００４１】
前記装飾模様３２は、光学装飾膜３３との界面である基材３１の一方の面３１ａに形成された反射面３２１を一方の面３１ａに形成することで構成される。反射面３２１は、基材３１に入射される入射光を反射または透過することにより、不規則に変化する光の明暗を生じさせ、装飾模様３２に光の明暗を付ける。また、光学装飾膜３３は、この光学装飾膜３３に入射される入射光のうち、特定の色の光を基材３１と反対の方向へ反射することで装飾模様３２を前記光の明暗に合わせて着色表示するように構成されている。
【００４２】
前記光学装飾膜３３は、図１１に示す場合と同様に、低屈折の薄膜層と高屈折の薄膜層を交互に複数、例えば５〜１０層積層することで構成される。このような光学装飾膜３３は、積層される薄膜層の屈折率と膜厚を変えることで特定の色の光を反射し、それ以外の色の光を透過するようになっている。
【００４３】
このような本実施の形態４に示す装飾用パネル３０において、図１３に示すように、基材３１の光学装飾膜３３が照明光１５により照射されると、この照明光は図１２に示すように入射光１５ａとなって光学装飾膜３３内を進行し反射面３２１に達する。そして、反射面３２１に達した入射光１５ａの一部は、上記（１）式に示すロジスティック関数により決定された反射面３２１の形状に応じて矢印１５ｂのように基材３１と反対側の面へ反射され、光学装飾膜３３の表面から外方へ射出される。これに伴い、光学装飾膜３３の表面から出射される反射光１５ｂの輝度に不規則に変化する明暗パターンを生じさせるとともに光波長のシフトにより色収差を生じさせる。
【００４４】
また、光学装飾膜３３に入射する入射光１５ａのうち、光学装飾膜３３の屈折率と膜厚で決定される特定の色の光、例えば青色の波長に相当する光が光学装飾膜３３で分離されて光学装飾膜３３の表面から外方へ向け反射される。これにより、装飾模様３２を構成する反射面３２１の形状に応じて不規則に変化する光の明暗と光学装飾膜３３で分離された光色とが合成された濃淡色に装飾模様３２が着色される。
【００４５】
このような本実施の形態４に示す装飾パネル４０によれば、透明または半透明または不透明な板状の基材３１の一方の面に装飾模様３２を構成し、この装飾模様３２を上記（１）式に示すロジスティック関数によって決定される不規則な三次元形状の反射面により構成することにより、この三次元形状の反射面で反射される光の輝度に光のゆらぎによる明暗を生じさせて装飾模様３２に光の明暗を付け、さらに、光学装飾膜３３に入射される入射光のうち、特定の色を基材３１と反対の方向へ反射することで装飾模様３２を上記光の明暗に合わせた濃淡色にカラー表示するようにしたので、基材３１に形成された装飾模様３２を可視領域の光を利用した任意の色で輝光表示させることができるとともに、装飾模様３２にゆらぎによる変化に富んだ見栄えの良い光学的装飾を可能にし、併せて見る者の視覚に作用して、癒し、くつろぎ、または安らぎを与える光学的装飾効果を発揮できる。
【００４６】
上述した装飾用パネル１０，２０，３０は合成樹脂材により複製される。
【００４７】
この場合、装飾模様を構成する不規則な三次元形状の反射面の形状データをカオス理論に基づいて作成し、この形状データを基にナノ加工機を駆動することで装飾模様複製用の金型を製作する。その後、この金型を用いて合成樹脂材により装飾模様付き基材、すなわち装飾用パネル１０，２０，３０を複製する。
【００４８】
この方式によれば、装飾用パネルを量産することができる。
【００４９】
なお、上記実施の形態では、基材に無色透明な材質または半透明な材質または不透明な材質により成形した場合について説明したが、本発明はこれに限らず、基材を有色透明または有色半透明な材質で成形することも可能である。この場合、装飾用パネルの見栄えを色彩の面から強調することができる。
【００５０】
また、本発明にかかる装飾用パネルの反射面の形状は、上記実施の形態に示したロジスティック関数によって決定されるものに限らず、カオス理論の関数に基づいて決定されるものであれば、どのような形状のものでも良い。
【００５１】
また、本発明の装飾用パネルを樹脂成形品で作成する場合、超微細加工機を利用し、不規則でありながら鏡面レベルの超微細な三次元加工を施した金型により作成することができる。金型の加工は、カオス理論によって作成が可能となった不規則な表面形状の三次元データに基づいて行われる。これにより、不規則でありながら鏡面レベルの超微細な三次元表面を装飾模様上に表現することができ、見る者の視覚に作用して、癒し、くつろぎ、または安らぎを与える光学的装飾効果を発揮できる。
【図面の簡単な説明】
【００５２】
【図１】本発明にかかる実施の形態１の装飾用パネルを模式的に示す平面図である。
【図２】図１の２−２線に沿う拡大断面図である。
【図３】本発明にかかる実施の形態１の装飾用パネルの反射面を、光が入射される面と反対の面から見た斜視図である。
【図４】図３の４−４線に沿う拡大断面図である。
【図５】本実施の形態１における装飾模様の表面形状の一例を示す波形図である。
【図６】本発明の実施の形態１における装飾用パネルの三次元形状の反射面の光に対する作用を模式的に示す断面図である。
【図７】本発明にかかる実施の形態２の装飾用パネルを模式的に示す平面図である。
【図８】図７の８−８線に沿う拡大断面図である。
【図９】本発明の実施の形態２における装飾用パネルの光学装飾膜を取り除いて反射面を基材の裏面側から見た時の一例を示す斜視図である。
【図１０】図９の１０−１０線に沿う拡大断面図である。
【図１１】本発明の実施の形態２における装飾用パネルの反射面に対して入射する光の反射及び透過状態を模式的に示す断面図である。
【図１２】本発明の実施の形態３における装飾用パネルの要部の拡大断面図である。
【図１３】本発明の実施の形態４における装飾用パネルの反射面及び光学装飾膜の光に対する作用を模式的に示す断面図である。
【符号の説明】
【００５３】
１０，２０，３０    装飾用パネル
１１，２１，３１    基材
１１ａ，２１ａ，３１ａ    表面
１１ｂ，２１ｂ，３１ｂ    裏面
１２，２２，３２    装飾模様
１２１，２２１，３２１    反射面
１４    加飾層
２３，３３    光学装飾膜
【図１】
0005486771.tif 000002
【図２】
0005486771.tif 000003
【図３】
0005486771.tif 000004
【図４】
0005486771.tif 000005
【図５】
0005486771.tif 000006
【図６】
0005486771.tif 000007
【図７】
0005486771.tif 000008
【図８】
0005486771.tif 000009
【図９】
0005486771.tif 000010
【図１０】
0005486771.tif 000011
【図１１】
0005486771.tif 000012
【図１２】
0005486771.tif 000013
【図１３】
0005486771.tif 000014